(57)【要約】【課題】装置の大型化を回避しつつ本体外部への水漏れの防止を実現する。【解決手段】  温風処理の対象物を収容する処理室１２が設けられた本体１３と、処理室１２の底部１８に配置された水受トレー１４と、水受トレー１４と底部１８との間に縦方向の第１の隙間３９が設けられるように、処理室１２内で水受トレー１４を支持するトレー支持部１８ａ〜ｃと、処理室１２の開口部１７を画定するように底部１８から上向きに突出し、トレー支持部１８ａ〜ｃで支持された水受トレー１４の外周縁部１４ｈより上方に位置する上端部２３ｂを有し、かつトレー支持部１４で支持された水受トレー１４の外周縁部１４ｈに対して横方向の第２の隙間３８を有するように形成された壁２３とを備える。【選択図】図８
2014226198.tif 000002
【特許請求の範囲】
【請求項１】
温風処理の対象物を収容する処理室が設けられた本体と、
前記処理室の底部に配置された水受トレーと、
前記水受トレーと前記底部との間に縦方向の第１の隙間が設けられるように、前記処理室内で前記水受トレーを支持するトレー支持部と、
前記処理室の開口部を画定するように前記底部から上向きに突出し、前記トレー支持部で支持された前記水受トレーの外周縁部より上方に位置する上端部を有し、かつ前記トレー支持部で支持された前記水受トレーの外周縁部に対して横方向の第２の隙間を有するように形成された水漏れ防止部と
を備えることを特徴とする温風処理装置。
【請求項２】
前記水受トレーの奥行方向の中心位置に対して前記開口部側に設けられ、前記対象物から受容した水分を下方に排出するトレー排水孔と、
前記処理室の底部に設けられ、前記対象物の水分を外部に排出する本体排水孔と
を備え、
前記水受トレーの上面を、前記トレー排水孔に向けて下向きに傾斜するように形成したことを特徴とする請求項１に記載の温風処理装置。
【請求項３】
前記トレー支持部は、前記処理室の底部から上向きに突出する突起であることを特徴とする請求項１または２に記載の温風処理装置。
【請求項４】
前記水受トレーの上面または前記処理室の底部上面に着脱自在に載置され、前記開口部側に配置され水平方向に伸長する前側把持部を有する対象物配置部材をさらに設け、
前記水漏れ防止部の上端部を、前記前側把持部より下方に位置するように形成したことを特徴とする請求項１ないし３のいずれか１項に記載の温風処理装置。
【請求項５】
前記水漏れ防止部の前記第２の隙間に面する内壁の上端部を、前記水受トレーの外周縁部より上方に位置するように形成したことを特徴とする請求項１ないし４のいずれか１項に記載の温風処理装置。
【請求項６】
前記水漏れ防止部に、前記トレー支持部に支持された前記水受トレーの外周縁部と当接する前記水受トレーの位置決め用リブを設けたことを特徴とする請求項１ないし５のいずれか１項に記載の温風処理装置。
【請求項７】
前記処理室の底部の上面を、前記本体排水孔に向けて下向きに傾斜するように形成したことを特徴とする請求項２に記載の温風処理装置。
【発明の詳細な説明】
【技術分野】
【０００１】
本発明は、食器乾燥器、食器洗い乾燥器、滅菌器等の温風処理装置に関する。
【背景技術】
【０００２】
特許文献１には、乾燥器本体とこの乾燥器本体の上面を開閉可能に覆う蓋体との間に食器類を収容する収容空間が形成された食器乾燥器が記載されている。この食器乾燥器では、収容空間下部の乾燥器本体の上面にトレーが載置され、このトレーの上面に線条部材を屈曲および接合することにより形成したカゴが載置される。水が付着した食器類をカゴ内に配置する際、食器類から落下した水がトレーの外周縁を越えて乾燥器本体の外部に漏れてしまう場合があった。
【０００３】
特許文献２には、特許文献１と同様の構造を有し、乾燥器本体の上面側に形成された凹部にカゴを載置するトレーを収容する食器乾燥器が記載されている。この食器乾燥器では、乾燥器本体の外周壁の上面がトレーの外周縁の上端面より高くなるように形成されている。そのため、トレー上の水が乾燥器本体の外部に漏れてしまうリスクを低減できる。しかしながら、乾燥器本体から外部への水漏れを確実に防止するために、乾燥器本体の外周壁の上面をトレーの外周縁の上端面よりも十分に高くなるように形成する必要があり、大型化してしまう。
【先行技術文献】
【特許文献】
【０００４】
【特許文献１】特開２０１１−２１７８８１号公報
【特許文献２】特開２０００−３００５０３号公報
【発明の概要】
【発明が解決しようとする課題】
【０００５】
本発明は、装置の大型化を回避しつつ本体外部への水漏れの防止を実現することを課題とする。
【課題を解決するための手段】
【０００６】
前記課題を解決するための手段として、本発明の温風処理装置は、温風処理の対象物を収容する処理室が設けられた本体と、前記処理室の底部に配置された水受トレーと、前記水受トレーと前記底部との間に縦方向の第１の隙間が設けられるように、前記処理室内で前記水受トレーを支持するトレー支持部と、前記処理室の開口部を画定するように前記底部から上向きに突出し、前記トレー支持部で支持された前記水受トレーの外周縁部より上方に位置する上端部を有し、かつ前記トレー支持部で支持された前記水受トレーの外周縁部に対して横方向の第２の隙間を有するように形成された水漏れ防止部とを備えるようにした。
【０００７】
この構成によれば、水受トレーの外周縁部を越えた水を、水受トレーと水漏れ防止部との間の横方向の第２の隙間から縦方向の第１の隙間を通して底部へ落下させることができる。また、水受トレーの外周縁部を越えた水が横方向の第２の隙間を越えた場合でも、水漏れ防止部によって、水が本体外部へ移動することを阻止できる。これらにより、本体外部への水漏れを確実に防止できる。また、水受トレーと水漏れ防止部の間に水受トレーから漏れた水を落下させる横方向の第２の隙間を設けているので、横方向の第２の隙間を越えた水の本体外部へ移動を阻止する水漏れ防止部を比較的低く形成できる。したがって、装置の大型化を回避できる。これらにより、装置の大型化を回避しつつ本体外部への水漏れの防止を実現できる。
【０００８】
前記水受トレーの奥行方向の中心位置に対して前記開口部側に設けられ、前記対象物から受容した水分を下方に排出するトレー排水孔と、前記処理室の底部に設けられ、前記対象物の水分を外部に排出する本体排水孔とを備え、前記水受トレーの上面を、前記トレー排水孔に向けて下向きに傾斜するように形成することが好ましい。この構成によれば、水受トレーで受容した水をトレー排水孔から底部へ落下させることができ、底部の水を本体排水孔から外部に排水できる。特に、水受トレーの開口部側の上面の傾斜角を処理室奥側の上面の傾斜角よりも大きくすることができるので、水受トレーの開口部側の上面の水をトレー排水孔により確実に導くことができる。したがって、本体外部への水漏れを防止できる。
【０００９】
前記トレー支持部は、前記処理室の底部から上向きに突出する突起であることが好ましい。この構成によれば、簡易な構成で水受トレーと底部との間に縦方向の第１の隙間を設けることができる。
【００１０】
前記水受トレーの上面または前記処理室の底部上面に着脱自在に載置され、前記開口部側に配置され水平方向に伸長する前側把持部を有する対象物配置部材をさらに設け、前記水漏れ防止部の上端部を、前記前側把持部より下方に位置するように形成することが好ましい。この構成によれば、前側把持部を把持して対象物配置部材を処理室から開口部を通してスムーズに取り出すことができる。
【００１１】
前記水漏れ防止部の前記第２の隙間に面する内壁の上端部を、前記水受トレーの外周縁部より上方に位置するように形成することが好ましい。この構成によれば、水受トレーと水漏れ防止部との間の第２の隙間を越えた水受トレーからの水は、第２の隙間に面する水漏れ防止部の内壁によって第２の隙間に落下し、本体外部への水漏れを確実に防止できる。
【００１２】
前記水漏れ防止部に、前記トレー支持部に支持された前記水受トレーの外周縁部と当接する前記水受トレーの位置決め用リブを設けることが好ましい。この構成によれば、簡易な構成で、水漏れ防止部と水受トレーの外周縁部との間に横方向の第２の隙間を設けることができる。
【００１３】
前記処理室の底部の上面を、前記本体排水孔に向けて下向きに傾斜するように形成することが好ましい。この構成によれば、底部の上面の水を本体排水孔に導くことができる。したがって、底部の水を本体排水孔からスムーズに排水することができ、本体外部への水漏れを防止できる。
【発明の効果】
【００１４】
本発明によれば、水受トレーの外周縁部を越えた水を、水受トレーと水漏れ防止部との間の横方向の第２の隙間から縦方向の第１の隙間を通して底部へ落下させることができる。また、水受トレーの外周縁部を越えた水が横方向の第２の隙間を越えた場合でも、水漏れ防止部によって、水が本体外部へ移動することを阻止できる。これらにより、本体外部への水漏れを確実に防止できる。また、水受トレーと水漏れ防止部の間に水受トレーから漏れた水を落下させる横方向の第２の隙間を設けているので、横方向の第２の隙間を越えた水の本体外部へ移動を阻止する水漏れ防止部を比較的低く形成できる。したがって、装置の大型化を回避できる。これらにより、装置の大型化を回避しつつ本体外部への水漏れの防止を実現できる。
【図面の簡単な説明】
【００１５】
【図１】本発明に係る食器乾燥器を示す斜視図。
【図２】カゴ及び水受トレーを配置位置から移動させた食器乾燥器を示す斜視図。
【図３】図１の側断面図。
【図４】本体の分解斜視図。
【図５】水受トレーを示し、（ａ）はその平面図、（ｂ）はその正面図、（ｃ）はその側面図。
【図６】水受トレーを示し、（ａ）はその底面図、（ｂ）はその背面図。
【図７】本体の底壁に載置した水受トレーを示す図。
【図８】要部を示す側断面図。
【図９】下側のカゴを示し、（ａ）はその平面図、（ｂ）はその正面図。
【図１０】水漏れ防止部の変形例を示す図。
【発明を実施するための形態】
【００１６】
以下、本発明の実施の形態を図面を参照して説明する。
【００１７】
図１ないし図４は、本発明に係る温風処理装置である食器乾燥器１０を示す。食器乾燥器１０は、蓋体１１Ａ，１１Ｂによって開閉可能とした乾燥室（処理室）１２を有する本体１３と、乾燥室１２内に着脱可能に配設する水受トレー１４と、上側のカゴ１５、及び下側のカゴ（対象物配置部材）１６とを備える。
【００１８】
本体１３は、前端に開口部１７を有する乾燥室１２を備える。乾燥室１２は、底壁（底部）１８と、底壁１８の後縁から立設された後壁１９と、底壁１８の側縁から立設された一対の側壁２０Ａ，２０Ｂと、後壁１９および側壁２０Ａ，２０Ｂの上端を覆う上壁２１とにより形成される。開放された乾燥室１２の前側は、上壁２１に突設されたヒンジ接続部２２Ａ，２２Ｂに回動可能に取り付けられ、垂直方向の軸線を中心として水平方向に回動する一対の蓋体１１Ａ，１１Ｂにより閉塞される。底壁１８の上面に水受トレー１４が載置される。
【００１９】
底壁１８には、幅方向中心の奥行方向の中心位置に対してやや開口部１７寄りに本体排水孔２４が設けられている。底壁１８の上面は、本体排水孔２４に向けて下向きに傾斜するように形成されている。本体１３の底壁１８上面に上向きに突出する突起であるトレー支持部１８ａ，１８ａ，１８ｃが本体排水孔２４を囲むように互いに間隔をあけて設けられている。トレー支持部は、幅方向の中心に位置する奥行方向の中心線に対して左右対称に配置された前側支持部１８ａ，１８ａ、中間支持部１８ｂ，１８ｂ、及び後側支持部１８ｃ，１８ｃを備えている。
【００２０】
また、本体１３の底壁１８上面には、後述する水受トレー１４の複数の位置決め凹部１４ｅ，１４ｆに対応する位置に下向きに凹んだ複数（本実施例では、合計４つ）の収容凹部１８ｄ，１８ｅが設けられている。これらの収容凹部１８ｄ，１８ｅは、水受トレー１４がトレー支持部１８ａ，１８ｂ，１８ｃに支持された状態で、水受トレー１４の複数の位置決め凹部１４ｅ，１４ｆを収容する大きさに形成されている。
【００２１】
底壁１８の前端には、開口部１７の下端を画定するように上向きに突出する壁（水漏れ防止部）２３が設けられている。壁２３の上端部（（水漏れ防止部の上端部）２３ｂは、水受トレー１４の外周縁部１４ｈより上方に位置するように形成されている。つまり、壁２３の隙間３８に面する内壁４０の上端部２３ｃは、水受トレー１４の外周縁部１４ｈより上方に位置するように形成されている。図７及び図８に示すように、壁２３には、トレー支持部１８ａ，１８ｂ，１８ｃに支持された水受トレー１４の外周縁部１４ｈと当接する水受トレー１４の位置決め用リブ２３ａが設けられている。位置決め用リブ２３ａは、壁２３と水受トレー１４の外周縁部１４ｈとの間に横方向の隙間（第２の隙間）３８が形成されるように、壁２３から水受トレー１４の外周縁部１４ｈ側に突出している。底壁１８の下部には、本体排水孔２４から排出された食器類（温風処理の対象物）に付着した水を貯める貯留容器２６が着脱可能に配設されている。
【００２２】
各側壁２０Ａ，２０Ｂの乾燥室１２側の高さ方向の中間位置にカゴ１５を案内するガイドレール２５Ａ，２５Ｂが設けられている。本体１３は、上壁２１の中央に位置する一端側に吸込口２７を有するとともに、後壁１９に位置する他端側に吹出口２８を有するダクト２９を備える。吹出口２８は、後壁１９の乾燥室１２側の面に、下向きに温風を吹き出すように配置されている。図３に示すように、ダクト２９の内部には、外気を吸込口２７から吸い込んで吹出口２８から吐出させるファン３０と、ファン３０により吸い込んだ空気を加熱するヒータ３１とが配設されている。また、ダクト２９の内部には、ヒータ３１の過熱を防止するための過熱防止素子である温度ヒューズ（図示せず）と、加熱した温風温度を検出するための温度検出手段であるサーミスタ（図示せず）とが配設されている。後壁１９のダクト２９の両側には、上下方向に延びる複数のスリットからなり、乾燥室１２内の空気を外部に排気する排気部３２が設けられている。
【００２３】
吸込口２７を含む蓋体１１Ａ，１１Ｂのヒンジ接続部２２Ａ，２２Ｂは、上壁２１上に着脱可能に配設する上カバー３４により覆われる。なお、外気は、上壁２１と上カバー３４との間の隙間から流入し、吸込口２７を通してダクト２９内に流入する。
【００２４】
図３に示すように、本体の上部には、制御基板を収容する収容部３５がダクト２９に隣接して設けられている。制御基板は、収容部３５内に固定した基板ホルダ３６に配設される。また、収容部３５の前端には操作パネル部３７が形成されている。
【００２５】
制御基板には、ファン３０およびヒータ３１を制御するための電子部品（図示せず）が実装されている。電子部品の１つであるマイコン（制御手段）は、サーミスタ（図示せず）から入力される検出値に基づいて、ファン３０およびヒータ３１への通電を制御する。
【００２６】
図５（ａ）及び図７に示すように、水受トレー１４は、平面視で本体１３の底壁１８と略対応する形状である。水受トレー１４には、本体排水孔２４上に位置するトレー排水孔１４ｇが設けられている。図５（ｂ）、（ｃ）及び図６（ｂ）に示すように、水受トレー１４の上面は、トレー排水孔１４ｇに向けて下向きに傾斜するように形成されている。水受トレー１４には、前側部分の左右両側に切り欠き部が設けられ、切り欠き部間の水受トレー１４の部分は、水受トレー１４を把持するための把持部１４ｄを構成する。水受トレー１４の外周部分には、上面に対して一段高い位置に配置された外周縁部１４ｈが設けられている。
【００２７】
図６（ａ）に示すように、水受トレー１４の底面には、本体１３の底壁１８の前側支持部１８ａ、中間支持部１８ｂ、及び後側支持部１８ｃに対応する位置に、上向きに凹んだ複数（本実施例では６つ）の挿入凹部１４ａ，１４ｂ，１４ｃが設けられている。複数の挿入凹部１４ａ，１４ｂ，１４ｃは、本体１３の底壁１８の前側支持部１８ａ，１８ａ、中間支持部１８ｂ，１８ｂ、及び後側支持部１８ｃ，１８ｃの上端部を挿入可能な形状に形成されている。水受トレー１４は、挿入凹部１４ａ，１４ｂ，１４ｃに支持部１８ａ，１８ｂ，１８ｃが挿入されることによって位置決めされる。図８に示すように、水受トレー１４が底壁１８の前側支持部１８ａ，１８ａ、中間支持部１８ｂ，１８ｂ、及び後側支持部１８ｃ，１８ｃに支持された状態で、底壁１８との間に縦方向の隙間（第１の隙間）３９が形成される。
【００２８】
水受トレー１４の上面には、下側のカゴ１６の前脚部１６ａ及び後脚部１６ｂを挿入してカゴ１６を位置決めする位置決め凹部１４ｅ，１４ｆが設けられている。位置決め凹部１４ｅ，１４ｆは、把持部１４ｄを除いた水受トレー１４の４隅に配置されている。
【００２９】
図２に示すように、上側のカゴ１５は、平面視で略矩形の線条部材からなる枠部１５ａに側面視で略Ｕ字状の線条部材からなる複数の連結部１５ｂの両端部を接合することにより食器類を配置する配置面が形成されている。上側のカゴ１５、ガイドレール２５Ａ，２５Ｂに案内され支持される。上側のカゴ１５の上面には、食器類が配置される。
【００３０】
下側のカゴ１６は、水受トレー１４上に載置される。図８、及び図９（ａ），（ｂ）に示すように、下側のカゴ１６は、平面視で略矩形であり、側面視で略Ｌ字状に形成された線条部材からなる枠部１６ｃに、側面視で略Ｕ字状の線条部材からなる複数の連結部１６ｄの両端部を接合することにより食器類を配置する配置面が形成されている。枠部１６ｃの前側の枠部１６ｅと前側の枠部１６ｅに連結された連結部１６ｄの立ち上がり部分１６ｆは、水平方向に延びた前側把持部１６ｇを構成する。また、後側は、後側の枠部１６ｈと後側の枠部１６ｈに連結された連結部１６ｄの立ち上がり部分１６ｊは、水平方向に延びた後側把持部１６ｋを構成する。後側把持部１６ｋは、前側把持部１６ｇよりも上方に配置されている。また、前側把持部１６ｇは、本体１３の壁２３よりも上方に配置されている。平面視における対象物配置部材１６の４隅に、下向きに突出する前脚部１６ａ，１６ａ及び後脚部１６ｂ，１６ｂが設けられている。下側のカゴ１６は、前脚部１６ａ，１６ａ及び後脚部１６ｂ，１６ｂが水受トレー１４の位置決め凹部１４ｅ，１４ｆに収容され、水受トレー１４に対して位置決めされるようになっている。
【００３１】
図３に示すように、食器乾燥器１０は、ファン３０が回転されると外部の空気が吸込口２７から吸い込まれる。吸い込まれた空気は、ダクト２９内でヒータ３１によって加熱され、後壁１９の吹出口２８から温風が吹き出される。吹き出された温風は、乾燥室１２内を通り、食器類から水分を奪い取って排気部３２から排気される。
【００３２】
外部で洗浄した食器類がカゴ１５，１６に収納されると、食器類に付着していた水は水受トレー１４に落下する。水受トレー１４で受容した水は、トレー排水孔１４ｇへ流動し、トレー排水孔１４ｇから底壁１８へ落下する。底壁１８へ落下した水は、本体排水孔２４へ流動し、本体排水孔２４から外部に排水される。
【００３３】
水受トレー１４に落下した水のうち、一部の水は水受トレー１４上で流動して、水受トレー１４の外周縁部１４ｈを越えることがある。この場合、水は水受トレー１４と壁２３との間の隙間３８から底壁１８へ落下する。底壁１８へ落下した水は、本体排水孔２４へ流動し、本体排水孔２４から外部に排水される。
【００３４】
一方、水受トレー１４から多量の水が漏れた場合、その大部分は隙間３８から底壁１８へ落下し、隙間３８を越えた残りの水は壁２３によって本体１３外部へ移動することが阻止される。その後、水は隙間３８から底壁１８へ落下する。これらにより、本体１３外部への水漏れを確実に防止できる。特に、壁２３の隙間３８に面する内壁４０の上端部２３ｃを、水受トレー１４の外周縁部１４ｈより上方に位置するように形成しているので、水受トレー１４と壁２３との間の隙間３８を越えた水受トレー１４からの水が、隙間３８に面する壁２３の内壁４０によって本体１３外部へ移動することを阻止できる。したがって、本体１３外部への水漏れを確実に防止できる。
【００３５】
この構成によれば、水受トレー１４と壁２３との間の隙間３８を越えた水受トレー１４からの水が、隙間３８に面する壁２３の内壁４０によって隙間３８に落下し、本体１３外部への水漏れを確実に防止できる。
【００３６】
トレー排水孔１４ｇを、水受トレー１４の奥行方向の中心位置に対して開口部１７側に配置しているので、水受トレー１４の開口部１７側の上面の傾斜角を後壁１９側の上面の傾斜角よりも大きくすることができる。したがって、水受トレー１４の開口部１７側の上面の水をトレー排水孔１４ｇにより確実に導くことができる。
【００３７】
水受トレー１４の上面を、トレー排水孔１４ｇに向けて下向きに傾斜するように形成しているので、水受トレー１４の上面の水をトレー排水孔１４ｇに導くことができる。
【００３８】
底壁１８の上面を、本体排水孔２４に向けて下向きに傾斜するように形成しているので、底壁１８の上面の水を本体排水孔２４に導くことができる。以上より、乾燥室１２内の水を本体排水孔２４からスムーズに排水することができ、本体１３外部への水漏れを防止できる。
【００３９】
また、水受トレー１４と壁２３の間に水受トレー１４から漏れた水を落下させる隙間３８を設けているので、隙間３８を越えた水の本体１３外部へ移動を阻止する壁２３を比較的低く形成できる。したがって、装置の大型化を回避できる。
【００４０】
本発明によれば、装置の大型化を回避しつつ本体１３外部への水漏れの防止を実現できる。また、食器類の水分を受容する水受トレー１４を乾燥室１２の下部に着脱自在に設けているため、良好な掃除性を確保できる。
【００４１】
壁２３に、複数の支持部１８ａ〜１８ｃに支持された水受トレー１４の外周縁部１４ｈと当接する水受トレー１４の位置決め用リブ２３ａを設けているので、簡易な構成で、壁２３と水受トレー１４の外周縁部１４ｈとの間に隙間３８を設けることができる。
【００４２】
なお、本発明の温風処理装置は、前記実施形態の構成に限定されるものではなく、種々の変更が可能である。
【００４３】
前記実施形態では、壁２３に位置決め用リブ２３ａに設けて、壁２３と水受トレー１４の外周縁部１４ｈとの間に隙間３８を形成する構成を説明したが、水受トレー１４の大きさを適切に設定して、位置決め用リブ２３ａを設けずに隙間３８を形成する構成であってもよい。
【００４４】
水受トレー１４にトレー支持部としての脚部を設け、底壁１８との間に第１の隙間３９をあけて底壁１８上に水受トレー１４を配置する構成としてもよい。
【００４５】
例えば、前記実施形態では、下側のカゴ１６の脚部１６ａ，１６ｂの全てが水受トレー１４上に位置するように構成したが、脚部１６ａ，１６ｂの全てが水受トレー１４上に位置しないように、すなわち、底壁１８上に位置するように構成してもよい。
【００４６】
図１０に示すように、壁２３は、水受トレー１４の外周縁部１４ｈより上方に位置する上端部２３ｂを有し、かつ第２の隙間３８に面する内壁４０の上端部２３ｃが、水受トレー１４の外周縁部１４ｈより上方に位置するように形成してもよい。この構成によれば、水受トレー１４と壁２３との間の隙間３８を越えた水受トレー１４からの水が、隙間３８に面する壁２３の内壁４０によって隙間３８に落下し、本体１３外部への水漏れを確実に防止できる。
【００４７】
また、上記実施形態では、食器乾燥器１０が本体排水孔２４、トレー排水孔１４ｇを有する構成について説明したが、食器乾燥器１０が本体排水孔、トレー排水孔を有さない構成であってもよい。
【符号の説明】
【００４８】
１０  食器乾燥器
１２  乾燥室（処理室）
１３  本体
１４  水受トレー
１４ｇ  トレー排水孔
１４ｈ  外周縁部
１６  カゴ（対象物配置部材）
１６ｇ  前側把持部
１７  開口部
１８  底壁（底部）
１８ａ  前側支持部（トレー支持部）
１８ｂ  中間支持部（トレー支持部）
１８ｃ  後側支持部（トレー支持部）
２３  壁（水漏れ防止部）
２３ａ  位置決め用リブ
２３ｂ  上端部（水漏れ防止部の上端部）
２３ｃ  上端部（第２の隙間に面する内壁の上端部）
２４  本体排水孔
３８  隙間（第２の隙間）
３９  隙間（第１の隙間）
４０  内壁
【図１】
2014226198.tif 000003
【図２】
2014226198.tif 000004
【図３】
2014226198.tif 000005
【図４】
2014226198.tif 000006
【図５】
2014226198.tif 000007
【図６】
2014226198.tif 000008
【図７】
2014226198.tif 000009
【図８】
2014226198.tif 000010
【図９】
2014226198.tif 000011
【図１０】
2014226198.tif 000012